(57)【特許請求の範囲】
【請求項１】
少なくとも防犯警告領域の路面上に設置される防犯用路面構造において、
当該路面上に、歩行時における圧力によって移動可能な路材を備え、
前記路材は、表面が仕上げされている面を備え、該面上に当該面との接触摩擦や接触衝撃で発音させる接触材を敷設させていると共に、当該路材の過剰な移動を規制する移動規制手段を備え、
前記移動規制手段は、前記路材の移動を調節可能に規制することで歩行難度を調整可能にしたことを特徴とする防犯用路面構造。
【請求項２】
前記路材における表面が仕上げされた面は、歩行時における圧力によって移動する移動面を備え、前記移動規制手段は、前記移動面の移動を規制することを特徴とする請求項１記載の防犯用路面構造。
【請求項３】
前記路材における表面が仕上げされた面は、傾斜面を備え、
前記移動規制手段は、前記接触材の移動を規制する接触材用移動規制手段を備えることを特徴とする請求項１記載の防犯用路面構造。
【請求項４】
前記路面と前記路材との間に共鳴空間を確保していることを特徴とする請求項１乃至請求項３の何れか１項に記載の防犯用路面構造。
【請求項５】
前記共鳴空間内で生成された音を共鳴空間外へ出す発音孔を、前記共鳴空間と前記路材とを連通するように形成していることを特徴とする請求項４に記載の防犯用路面構造。
【請求項６】
前記路材に排水構造を備えていることを特徴とする請求項１乃至請求項５の何れか１項に記載の防犯用路面構造。
【発明の詳細な説明】
【技術分野】
【０００１】
本発明は、侵入者の歩行によって警告音を発したりその歩行を阻害したりする防犯用路面構造に関する。
【背景技術】
【０００２】
従来の侵入者の歩行によって警告音を発したりその歩行を阻害したりする防犯用路面構造に関連する先行技術文献情報として、例えば、下記の特許文献１乃至特許文献４が挙げられる。
特許文献１乃至特許文献３に記載の発明は、警告音を発することにより危険地域への立ち入りを未然に防ぐようにしたものであり、具体的には、歩行中に踏みつけることにより弾性変形する空気室と、弾性変形時に空気室からの空気が流通することで警告音を発する笛とを備えた構造のものである。
特許文献４に記載の発明は、侵入者の歩行を阻害するものであり、具体的には、地面にネットを敷設することにより、侵入者が当該地面を歩行した際に、敷設されたネットを侵入者に絡みつかせてその歩行を阻害するものである。
【特許文献１】特開平４−３０８９９８号公報（全文、全図）
【特許文献２】特開平５−２４２３７３号公報（全文、全図）
【特許文献３】特開平５−２６６３７０号公報（全文、全図）
【特許文献４】特開２００４−１９９２４６号公報（全文、全図）
【発明の開示】
【発明が解決しようとする課題】
【０００３】
しかしながら、前記特許文献１乃至特許文献３に記載の発明は、不審者の侵入防止という点では利用可能ではあるものの、空気室が長期間の使用や踏みつけられた際に、空気室に孔が開いて空気漏れが生じて空気が笛に至らなかったり、笛が踏み潰されてしまったりすることがあって、肝心なときに警告音が発せられなくなる可能性がある。
また、笛における空気の流通口又は発音口から空気室に、雨水や土砂、更には埃やゴミ等が侵入し、堆積することで空気の流通が阻害されて警告音が発せられなくなる可能性も考えられる。
すなわち、この不審者の侵入防止は、防犯上その確実性を極めて高く保持する必要があるため、短い期間での定期的な保守点検を要し、その手間や費用に関して負担が大きいものと思われる。
また、前記特許文献４に記載の発明は、侵入者の足にネットを絡みつかせて侵入者の歩行を阻害する点については、防犯上効果的ではあるものの、当該ネットによって、庭や通路の景観を損ねてしまう。
【０００４】
そこで、本発明は、防犯機能を長期間に亘って維持するとともに、その歩行難度を調節し、しかも、景観を損ねないようにすることを課題とし、この課題を解決する防犯用路面構造の提供を目的とする。
【課題を解決するための手段】
【０００５】
本発明は、前記目的を達成するため、下記の技術手段を採用した。
第１発明として、少なくとも防犯警告領域の路面上に設置される防犯用路面構造において、当該路面上に、歩行時における圧力によって移動可能な路材を備え、前記路材は、表面が仕上げされている面を備え、該面上に当該面との接触摩擦や接触衝撃で発音させる接触材を敷設させていると共に、当該路材の過剰な移動を規制する移動規制手段を備え、前記移動規制手段は、前記路材の移動を調節可能に規制することで歩行難度を調整可能にしたことを特徴とする。
【０００６】
本発明で云う路材は、少なくとも、路面上における防犯警告領域に載置されて防犯用路面構造を構成可能なものであり、例えば、金属材や合成樹脂材を用いた成型品及び加工品、更にコンクリート成型品、モルタル成型品、鋳物成型品、あるいは、シート材や不織布等であり、これらの路材を単数又は複数並べて防犯用路面構造を構成する。
また、歩行時における圧力によって移動可能とは、上下方向及び／又は平面方向に移動可能及び変形可能並びに振動可能、更には回転可能であることを含み、侵入者の歩行による圧力で当該圧力がかかる前の路材の位置が変ること、路材が撓んだり凹んだりすること、路材の変形の際及び変形から復帰する際に振動すること、路材が平面方向又は前後方向に回転すること等を意味し、この変形・振動・回転を含む移動によって侵入者の歩行を阻害する。
例えば、上下方向の移動の場合、歩行時における上方からの圧力による路材の撓みや傾斜により路材表面の定位置を移動させ、平面方向の移動の場合、歩行時における前後、左右、斜めへの圧力による路材のスライドにより路材表面の定位置を移動させる。
特に、路材のスライドにより路材表面の定位置を移動させる場合、歩行時の水平圧力によって路材が斜め上方に移動するように構成することにより、転倒を抑制しながら歩行を困難にする路面を構成することができる。
また、移動規制手段は、前記路材の上下方向及び／又は平面方向への移動量及び移動方向並びに移動速度、変形量、振動量、回転量、回転速度を規制する手段の全てを包含し、例えば、路材同士や路材と路面との当接による移動規制、あるいは、路材の移動力に抗する弾性抵抗や、路材同士又は接触による摩擦抵抗等の各種抵抗によりその移動を規制する手段が挙げられる。
また、前記表面が仕上げされている路材とは、当該路材自体の表面が仕上げされている構成でもよいし、路材の表面に砂利やタイル、更にはブロック等の路面仕上げ材を敷設して仕上げされている構成いずれでもよい。
又、路材を回転させる構造としては、平面方向に回転させる場合、例えば、路材の下側に支持軸を固定し、当該固定軸に対して路材を回転可能に嵌合する構造、前後方向に回転させる場合、例えば、路材自体をローラー状に形成するとともに、当該路材の軸方向両端部に回転軸を突設し、この回転軸を回転可能に軸支する構造が挙げられる。
【０００７】
また、防犯機能を向上させるという観点から、第２発明として、前記路材における表面が仕上げされた面は、歩行時における圧力によって移動する移動面を備え、前記移動規制手段は、前記移動面の移動を規制することを特徴としている。更に、第３発明として、前記路材における表面が仕上げされた面は、傾斜面を備え、前記移動規制手段は、前記接触材の移動を規制する接触材用移動規制手段を備えることを特徴としている。
【０００８】
更に、第４発明として、前記路面と路材と間に共鳴空間を確保していることを特徴とする。
この場合、第５発明として、共鳴空間内で生成された音を共鳴空間外へ出す発音孔を、共鳴空間と路材とを連通するように形成することが好ましい。
【０００９】
本発明では、前記路材に良好な排水性能を確保したり、路材を排水溝の蓋に利用したり、更には既製の溝蓋に取り付けたりできるように、第６発明として、前記路材に排水構造を備えることが好ましい。
【発明の効果】
【００１０】
本発明によれば、下記の優れた効果が期待できる。
第１発明によれば、歩行時においてその圧力によって路材が移動するので侵入者の歩行を阻害することができ、その上、移動規制手段により移動量を規制しているので路材の過剰な移動を防ぐことができる。
路材の過剰な移動を防止することにより、路材の正常な設置状態を保持することができる。
又、移動規制手段における路材の規制範囲を調節して、路材の移動距離を長短切り替えたり、移動方向を変更したり、更には路材の移動速度を変更したりすることによって、歩行難度を任意に調整することができる。
更に、路材の表面が仕上げされているので、庭や道路の景観を損ねることが無い。
【００１１】
また、第２発明によれば、侵入者が路面上を歩行することによって発音し、その発音を警告音として利用することで、前記路材の移動による侵入者の歩行の阻害に加えて、音による侵入者の存在の確認及び侵入者に対する警告を行えるので、防犯機能を向上させるのに効果的である。
更に、第３発明によれば、音による防犯機能向上の他の構成を具体的に提供することができるとともに、接触材の過剰な移動を防止することができるとともに、歩行難度の調節が可能となる。
その上、振動や変形あるいは移動する路材の全域の接触材同士が接触して、その接触材同士の接触によって発音するので、歩行部位の接触材同士の接触による発音を含み、広い範囲で接触材同士の接触による発音が行われ、音による防犯機能向上がより期待できる。
しかも、接触材の過剰な移動を防止することにより、接触材の散乱を抑制することができるので、庭や道路の景観を損ねることが無い。
更に、第４発明によれば、前記路面と路材と間に共鳴空間を確保しているので、前記歩行による発音を共鳴空間によって増幅させることができるので、侵入者の存在の確認及び侵入者に対する警告という点で更に効果的である。
更に、第５発明によれば、共鳴空間内で生成された音を共鳴空間外へ発音することができるので、侵入者の存在の確認及び侵入者に対する警告という点で更に効果的である。
そして、第２発明乃至第５発明によれば、路材同士の接触や路材と路面との接触によって発音させるものであるので、空気室を踏みつけることによる空気の流通によって笛を鳴らす前記特許文献１乃至特許文献３のように、破損すると発音できなくなるようなことが無く、長期間に亘ってその機能を保持することができる。
また、第３発明乃至第５発明によれば、接触材と路材との接触摩擦や接触衝撃での発音が加えられるので、侵入者の存在の確認及び侵入者に対する警告という点で更に効果的である。
【００１２】
また、第６発明によれば、路材に排水構造を備えたので、良好な排水性能を確保したり、路材を排水溝の蓋に利用したり、更には既製の溝蓋に取り付けたりすることができる。
更に、仮に路材に土砂やゴミ等が堆積した際にも、降雨や意識的に水を流すことによって、堆積物を効率よく排出することができるため、前記堆積物による路材の移動不良や発音不良等の不具合を未然に防ぐことができる。
【発明を実施するための最良の形態】
【００１３】
以下、本発明の防犯用路面構造の最良の形態を図面に基づいて説明する。
図１は本発明の第１形態を、図２は本発明の第２形態を、図３は本発明の第３形態を、図４は本発明の第４形態を、図５は本発明の第５形態を夫々示す。
なお、各形態において第１形態と重複する構成部位についての説明は、当該構成部位に同一の符号を付すことにより省略する。
【００１４】
第１形態の防犯用路面構造は、路面Ａ上に載置される複数の路材Ｂの上面に接触材１（路面仕上げ材：本例では砂利）を敷設するとともに、接触材１の移動を規制する接触材用移動規制手段２を敷設して構成されている。
路材Ｂは、多数の排水孔Ｂ１１が開孔された移動板Ｂ１と、当該移動板Ｂ１を支持する支持脚Ｂ２からなり、隣接する路材Ｂとは支持脚Ｂ２部分で上下に重合され、その支持脚Ｂ２を路材Ｂの重合部位に貫通することによって一体化している。
図中、符号Ｂ３は、移動板Ｂ１の下降を防止する下降防止部であり、当該下降防止部Ｂ３は、支持脚Ｂ２に一体形成された支持板Ｂ２１と、当該支持板Ｂ２１と移動板Ｂ１との間に介在されたゴム材等からなる弾性スペーサーＢ３２とから構成され、移動板Ｂ１にかかる上方からの接触材１の圧力を支えてその下降を防止し、一定以上の圧力(人の歩行による圧力)により、弾性スペーサーＢ３２が弾性変形して移動板Ｂ１を沈下・傾斜させるようにしている。
【００１５】
また、移動板Ｂ１の裏面には、上方からかかる歩行者の圧力によって生じる移動板Ｂ１の撓み（移動）を規制する移動規制手段３が設けられている。
本形態の移動規制手段３は、突起状体であり、移動板Ｂ１が撓む前の状態においてその先端が路面Ａから離間し、移動板Ｂ１が撓んだ時に路面Ａに接触することによって移動板Ｂ１を支えてそれ以上の撓みを止めるようにしている。
また、移動規制手段３は、路面Ａとの接触時の衝撃によって発音させる発音体を兼ねている。
また、路面Ａと移動板Ｂ１との空間は共鳴空間Ｓとして利用され、前記移動規制手段３が路面Ａに接触した際に生じる音を共鳴させて増幅するようにし、その増幅された音を前記排水孔Ｂ１１から共鳴空間Ｓ外に出すようにしている。
なお、本形態の排水孔Ｂ１１は、発音孔を兼ねている。  
【００１６】
接触材用移動規制手段２は、網状体からなるものであり、前記移動板Ｂ１を貫通した支持脚Ｂ２に支持されている。
具体的には、支持脚Ｂ２に取り付けられたゴム材等からなる弾性スペーサーＢ３３を介して支持されていて、前記移動板Ｂ１と同様に接触材用移動規制手段２にかかる上方からの圧力を支えてその下降を防止するとともに、弾性的に緊結することによって、比較的小さく軽量の路材にでき、風雨等の小圧力によるがたつき音の発生や移動による移動板Ｂ１の露出を防止することができる。
そして、接触材用移動規制手段２の網目２１内に、接触材１が入り込み網線２２に接触することによって、歩行によって前後、左右、斜めに移動しようとする接触材１の過剰な移動を規制している。
更に、移動板Ｂ１と接触材用移動規制手段２の圧力による傾斜角度および沈下量を変えることによって、例えば、接触材移動規制手段２よりも移動板Ｂ１の傾斜角度を大きくすることで、圧力がかかった際にのみ接触材１の移動性及び移動速度が向上して歩行難度を高めることができる。
また、接触材１が移動しようとする際に、接触材１同士の接触摩擦及び接触材１と接触材用移動規制手段２の接触衝撃、更に、接触材１と移動板Ｂ１の接触摩擦によって発音するようにしている。
【００１７】
前記構成の防犯用路面構造は、防犯警告領域に設置され、当該防犯警告領域に侵入者が浸入した際に、その歩行による圧力によって、接触材１が平面方向に移動するとともに、その圧力が接触材１および接触材用移動規制手段２を介して移動板Ｂ１に伝わって当該移動板Ｂ１が撓むことによって、侵入者の歩行におけるバランスを崩してその歩行を阻害する。
また、前記歩行の阻害と同時に、接触材１が平面方向へ移動する際に生じる、接触材１同士の接触摩擦音及び接触材１と接触材用移動規制手段２との接触による接触摩擦音、さらには、移動板Ｂ１の撓みで移動規制手段３が路面Ａと接触した際に生じる衝撃音が侵入者への警告音にされる。
また、前記衝撃音は、前記共鳴空間Ｓで共鳴して増幅され、前記排水孔Ｂ１１から共鳴空間Ｓ外へ出される。
そして、本構造では、接触材用移動規制手段２及び移動規制手段３のピッチにより、路材Ｂ及び接触材１の移動範囲が決定され、歩行による加圧時の接触材用移動規制手段２と路材Ｂとの緊結力により接触材１の移動性を低下させ、その加圧時の接触材用移動規制手段２と路材Ｂとの沈下量の調整により接触材１の移動性が設定可能となる。
【００１８】
以下、本発明の第２形態を説明する。
本形態の防犯用路面構造は、路面Ａ上に載置される路材Ｂの上面に接触材１（路面仕上げ材：本例では砂利）を敷設するとともに、路材Ｂ上に接触材１の移動を規制する接触材用移動規制手段２を配設して構成されている。
路材Ｂは、平面視格子状に形成された枠体Ｂ４と、当該枠体Ｂ４における格子状部Ｂ４１に前後移動可能に嵌合される移動板Ｂ１とから構成されている。
また、前記格子状部Ｂ４１を構成する壁面部Ｂ４２が接触材用移動規制手段２として使用され、接触材１が平面方向に移動しようとする際に、当該接触材が壁面部Ｂ４２に接触することにより、その接触材１の過剰な移動を規制している。
移動板Ｂ１は、格子状部Ｂ４１に対し前方向に向けて低くなるように傾斜させ、この傾斜角度に沿って前後移動するように嵌合されている。
また、移動板Ｂ１は、路面Ａとの間に共鳴空間Ｓを確保するように嵌合されている。
図中、符号Ｂ５は、共鳴空間Ｓの音を出す発音孔であり、当該発音孔Ｂ５は前記接触材１よりも高い位置となる筒体である。
なお、ここで前後とは、図面上長手方向を意味し、図面上奥側を前側とし手前側を後側とする。
【００１９】
移動板Ｂ１と格子状部Ｂ４１とに亘って移動板Ｂ１の前後移動を規制する移動規制手段３が配設されている。
具体的には、移動規制手段３は、移動板Ｂ１の左右縁部に垂設された支持板Ｂ１２に前方向へ傾斜する傾斜長孔Ｂ１３が形成される一方、当該傾斜長孔Ｂ１３に嵌合する嵌合ピンＢ１４が前記壁面部Ｂ４２に突設されてなる。
そして、前記傾斜長孔Ｂ１３と嵌合ピンＢ１４とで移動板Ｂ１の前後移動を案内するとともに、移動板Ｂ１の前後移動の際に、傾斜長孔Ｂ１３の前縁または後縁が嵌合ピンＢ１４に当接することによって、その前後移動を規制するようにしている。
また、前記傾斜長孔Ｂ１３の後縁から支持板Ｂ１２の下端縁まで連続して、前記嵌合ピンＢ１４を傾斜長孔Ｂ１３に案内するためのスリットＢ１５が形成されていて、移動板Ｂ１を格子状部Ｂ４１に対し、真上から着脱するようにしている。
また、移動板Ｂ１の前後縁には、ゴム材等の弾性材からなる弾性体Ｂ１６が設けられていて、当該弾性体Ｂ１６が圧力による移動板Ｂ１の移動時に壁面部Ｂ４２に弾性的に当接してつぶれ変形し、圧力がかからなくなった際に、その弾性力によって移動板Ｂ１を定位置に戻すようにしている。
【００２０】
本形態の防犯用路面構造は、防犯警告領域に設置され、当該防犯警告領域に侵入者が浸入した際に、その歩行による圧力によって、接触材１が略平面方向(正確には前方傾斜方向)に移動するとともに、その圧力が接触材１を介して移動板Ｂ１に伝わって当該移動板Ｂ１が前方向に移動することによって、侵入者の歩行におけるバランスを崩してその歩行を阻害する。
また、前記歩行の阻害と同時に、接触材１が平面方向へ移動する際に生じる、接触材１同士の接触摩擦音及び接触材１と接触材用移動規制手段２(壁面部Ｂ４１)との接触による接触摩擦音、さらには、移動板Ｂ１の撓みで移動規制手段３が路面Ａと接触した際に生じる衝撃音が侵入者への警告音にされる。
また、前記衝撃音は、前記共鳴空間Ｓで共鳴して増幅され、前記発音孔Ｂ５及び排水孔Ｂ１１から共鳴空間Ｓ外へ出される。
また、本形態では、枠体Ｂ４上の接触材１は、移動板Ｂ１が前方向に向けて低くなるように傾斜していることから、枠体Ｂ４の前方方向に高い水平移動性を有し、左右方向には低い移動性を有する。
更に、本形態では、前記傾斜により、後縁側の弾性体Ｂ１６周辺の移動板Ｂ１上の接触材１の沈下性を高めたり、前縁側の弾性体Ｂ１６周辺の移動板Ｂ１上の接触材１の略平面方向の移動性を高めたりすることで、歩行場所によって接触材の移動性や移動方向が異なり、侵入者にとって歩行難度の予測が不可能な歩き難いものとなる。
【００２１】
なお、本形態の金属板の移動に関しては、前記移動板Ｂ１を前後方向に移動させる構成のほかに、例えば、前記移動板Ｂ１を遥動させる構成や、前記枠体Ｂ４を左右方向にも移動させたり遥動させたりすることで金属板の移動が行われる構成が例示できる(図示せず)。
また、この場合においても、移動規制手段により、金属板の過剰な移動を規制する。
【００２２】
以下、本発明の第３形態を説明する。
本形態の防犯用路面構造は、路面Ａ上に載置される複数の路材Ｂの上面に接触材１（路面仕上げ材：本例では砂利）を敷設するとともに、路材Ｂ上に接触材１の移動を規制する接触材用移動規制手段２を配設して構成されている。
路材Ｂは、斜面状部Ｂ６の低部端に上向きの縦壁Ｂ７を高部端に下向きの縦壁Ｂ８を一体に形成した断面略横向きＺ型に形成され、斜面状部Ｂ６の下側の空間を共鳴空間Ｓを確保して、隣り合う路材Ｂの縦壁Ｂ７を縦壁Ｂ８に引掛けるように、かつ両壁の間に移動空間Ｓ１を確保して連結するようにしている。
前記斜面状部Ｂ６に壁面状に形成した接触材用移動規制手段２が立設されている。
また、前記縦壁Ｂ８は、接触材１の移動を規制する接触材用移動規制手段２としても利用される。
また、前記隣り合う路材Ｂ同士は、互いに斜面状部Ｂ６の斜面に沿って移動可能に連結されている。
【００２３】
前記斜面状部Ｂ６の裏面には、路材Ｂの移動を規制する移動規制手段３が配設されている。
移動規制手段３は、斜面状部Ｂ６の高部端から低部端へ向かって薄くなるように形成されたゴム材等の弾性材からなるものであり、この移動規制手段３に、縦壁Ｂ７の端部が接触していることで、その接触による摩擦抵抗によって路材Ｂの過剰な移動を規制している。
また、弾性材からなる移動規制手段３は、当該弾性材の衝撃吸収作用により、風雨等の小さな力で接触材１が小さくがたついた際の衝撃により発生するわずかな音を吸収して、共鳴空間Ｓから伝達されることを防止して誤警告を抑制することができる。
また、移動規制手段３は、前記縦壁Ｂ７と縦壁Ｂ８同士の当接することによってそれ以上の移動を規制することも含まれる。
【００２４】
本形態の防犯用路面構造は、防犯警告領域に設置され、当該防犯警告領域に侵入者が浸入した際に、その歩行による圧力によって、接触材１が平面方向(主に左右方向)に移動するとともに、その圧力が接触材１を介して路材Ｂに伝わって、当該路材Ｂが左右方向に移動することによって、侵入者の歩行におけるバランスを崩してその歩行を阻害する。
また、前記歩行の阻害と同時に、接触材１が左右方向へ移動する際に生じる、接触材１同士の接触摩擦音及び接触材１と接触材用移動規制手段２との接触による接触摩擦音、さらには、接触材１と斜面状部Ｂ６との接触による接触摩擦音が侵入者への警告音にされる。
また、前記衝撃音は、前記共鳴空間Ｓで共鳴して増幅され、前記排水孔Ｂ１１から共鳴空間Ｓ外へ出される。
【００２５】
以下、本発明の第４形態を説明する。
本形態の防犯用路面構造は、路面Ａ上に載置される複数の路材Ｂの上面に接触材１（路面仕上げ材：本例では砂利）を敷設するとともに、路材Ｂ上に接触材１の移動を規制する接触材用移動規制手段２を配設して構成されている。
また、複数の路材Ｂは、軸線方向に直列させるとともに、その列を複数並列させている。
路材Ｂは、正面略半円状に形成された略かまぼこ状のものであり、路面Ａに載置した状態でその路面Ａとの間に共鳴空間Ｓが確保されるようにし、半円状面部Ｂ９の上面に当該半円状面部Ｂ９に沿う略半円状に形成された前記接触材用移動規制手段２が立設されている。
また、半円状面部Ｂ９の前端に路材Ｂ同士を直列方向で接続する接続部Ｃの一端を構成する雄側接続部Ｃ１と、半円状部Ｂ９の後端に接続部Ｃの他端を構成し、前記雄側接続部Ｃ１に接続される雌側接続部Ｃ２とが形成されている。
雄側接続部Ｃ１は、半円状面部Ｂ９の前端上面を、他の面よりも一段低くなるようにした小径の円弧として形成され、雌側接続部Ｃ２は、半円状部面Ｂ９の後端裏面を、前記雄側接続部Ｃ１と同径の円弧として他の面よりも一段高くなるように形成され、このように形成した雄側接続部Ｃ１を雌側接続部Ｃ２に嵌合することによって、路材Ｂ同士を直列状に連結している。
【００２６】
なお、前記雄側接続部Ｃ１と雌側接続部Ｃ２との嵌合時において、両接続部を直列方向にずらしておくことによって、路材Ｂの直列方向の移動が可能となるとともに、移動した際に雄側接続部Ｃ１の先端部が雌側接続部の後端部に当接することによって、過剰な移動を規制することができる。
すなわち、前記嵌合構造によって、路材Ｂの過剰な移動を規制する移動規制手段３を兼用することができる。
【００２７】
また、半円状面部Ｂ９の右側端部には、路材Ｂ同士を並列方向で接続する接続部Ｄが形成されている。
接続部Ｄは、外側へ突出する平面部Ｄ１と、当該平面部Ｄ１の縁端部に立設された当接部Ｄ２とから構成されている。
この接続部Ｄに並列方向で隣接する路材Ｂを接続するには、隣接する路材Ｂの半円状面部Ｂ９の左側端部を、前記引掛け部Ｄ２を越えて前記平面部Ｄ１上に載置することによって行われる。
また、平面部Ｄ１は、その幅が接続された隣接する路材Ｂの半円状面部Ｂ９の左側端部に接続された路材Ｂ同士の接近・離間する方向への移動を可能とする幅としている。
また、接続された路材Ｂ同士の接近・離間する方向への移動は、前記半円状面部Ｂ９の左側端部が当接部Ｄ２に当接することでそれ以上の移動が規制されている。
すなわち、前記接続部Ｄの構成によって、路材Ｂの過剰な移動を規制する移動規制手段３を兼用することができる。
【００２８】
本形態の防犯用路面構造は、防犯警告領域に設置され、当該防犯警告領域に侵入者が浸入した際に、その歩行による圧力によって、接触材１が平面方向(主に左右方向)に移動するとともに、その圧力が接触材１を介して路材Ｂに伝わって、当該路材Ｂが左右方向に移動することによって、侵入者の歩行におけるバランスを崩してその歩行を阻害する。
また、前記歩行の阻害と同時に、接触材１が左右方向へ移動する際に生じる、接触材１同士の接触摩擦音及び接触材１と接触材用移動規制手段２との接触による接触摩擦音、さらには、接触材１と半円状面部Ｂ９との接触による接触摩擦音が侵入者への警告音にされる。
また、前記衝撃音は、前記共鳴空間Ｓで共鳴して増幅され、前記排水孔Ｂ１１から共鳴空間Ｓ外へ出される。
また、接触材用移動規制手段２をゴム等の弾性材や毛状のものを使用してピッチを細かくすることによって、半円状面部Ｂ９と接触材１が接しないように接触材１を載置できる。
すなわち、風雨等の小さな力で接触材１が小さくがたついた際における接触材１と半円状面部Ｂ９との接触を防いで発音を抑制し、共鳴空間Ｓから伝達されることを防止できるため、誤警告を抑制することができる。
更に、侵入者の歩行による路材Ｂが移動しても、ゴム等の弾性材や毛状のものを使用してなる接触材用移動規制手段２によって、移動位置から定位置へ自動的に復帰させることができる。
【００２９】
以下、本発明の第５形態を説明する。
本形態の防犯用路面構造は、路面Ａ上に載置される平面視格子状の路材Ｂの上面に接触材１（路面仕上げ材：本例では砂利）を敷設して構成されている。
なお、本形態の防犯用路面構造は、路材Ｂの移動規制手段３を備えていないものである。
【００３０】
路材Ｂは、長手側を前後に沿わせて左右方向に間隔をおいて並列させた排水部Ｅ１と、長手側を前記排水部Ｅ１と交差して前後方向に間隔をおいて並列させた可動板Ｅ２とによって平面視格子状に構成している。
排水部Ｅ１は、断面略三角形状に形成され、表面に排水孔Ｂ１１が開口され、内側を共鳴空間Ｓ兼用の排水空間としている。
可動板Ｅ２は、前記排水部Ｅ１に対し緩みをもって嵌合させて、がたつきが生じるようにしている。
また、前記排水部Ｅ１及び可動板Ｅ２は、格子状部Ｅ３内に敷設された接触材１の移動を規制する接触材用移動規制手段２を構成するものである。
【００３１】
本形態の防犯用路面構造は、防犯警告領域に設置され、当該防犯警告領域に侵入者が浸入した際に、その歩行による圧力によって、接触材１が平面方向に移動するとともに、可動板Ｅ２のがたつきによって、侵入者の歩行におけるバランスを崩してその歩行を阻害する。
また、前記歩行の阻害と同時に、接触材１が左右方向へ移動する際に生じる、接触材１同士の接触摩擦音及び接触材１と排水部Ｅ１、可動板Ｅ２との接触による接触摩擦音が侵入者への警告音にされる。
また、前記衝撃音は、前記共鳴空間Ｓで共鳴して増幅され、前記排水孔Ｂ１１から共鳴空間Ｓ外へ出される。
【００３２】
なお、本発明は、例示した形態に限定するものでは無く、特許請求の範囲の各項に記載された内容から逸脱しない範囲の構成による実施が可能である。
例えば、路材を平面方向又は前後方向に回転させることにより、侵入者の歩行におけるバランスを崩してその歩行を阻害するようにしてもよい（図示せず）。
この場合、路材の回転による接触摩擦音や衝撃音の警告音の発音も期待できる。
また、摩擦係数が高い接触材を用いた場合、接触材の摩擦力により当該接触材の移動が抑制されるため、場合によっては、歩行時の圧力のほとんどが接触材から路材に作用して、当該路材が過移動することがある。
この場合、例えば、歩行時の圧力による路材の移動時に路材間に空間が形成されるように構成し、歩行時の圧力が作用する接触材を前記空間に移動させることによって、接触材の摩擦抵抗力を低減して路材の過移動を抑制する構成を採用することができる。
【図面の簡単な説明】
【００３３】
【図１】本発明に係る防犯用路面構造の第１形態を示す。
【図２】本発明に係る防犯用路面構造の第２形態を示す。
【図３】本発明に係る防犯用路面構造の第３形態を示す。
【図４】本発明に係る防犯用路面構造の第４形態を示す。
【図５】本発明に係る防犯用路面構造の第５形態を示す。
【符号の説明】
【００３４】
１：接触材
２：接触材用移動規制手段
３：移動規制手段
２１：網目
２２：網線
Ａ：路面
Ｂ：路材
Ｂ１：移動板
Ｂ２：支持脚
Ｂ３：下降防止部
Ｂ４：枠体
Ｂ５：発音孔
Ｂ６：斜面状部
Ｂ７：縦壁
Ｂ８：縦壁
Ｂ９：半円状面部
Ｂ１１：排水孔
Ｂ１２：支持板
Ｂ１３：傾斜長孔
Ｂ１４：嵌合ピン
Ｂ１５：スリット
Ｂ２１：支持板
Ｂ３２：弾性スペーサー
Ｂ３３：弾性スペーサー
Ｂ４１：格子状部
Ｂ４２：壁面部
Ｃ：接続部
Ｃ１：雄側接続部
Ｃ２：雌側接続部
Ｄ：接続部
Ｄ１：平面部
Ｄ２：当接部
Ｅ１：排水部
Ｅ２：可動板
Ｅ３：格子状部
Ｓ：共鳴空間
【図１】
0004778847.tif 000002
【図２】
0004778847.tif 000003
【図３】
0004778847.tif 000004
【図４】
0004778847.tif 000005
【図５】
0004778847.tif 000006